(57)【要約】【課題】標準時刻をいつでも確実に受信できるようにし、これを電波時計などが使用できない室内などに確実に配信できるようにした時刻データ配信装置の提供。【解決手段】この発明は、受信復調部１と、時刻データ修正部２Ａ、２Ｂと、インターフォン３とを備えている。受信復調部１は、室外に設置され、標準時刻データを含む標準電波を受信し、この受信した標準電波から標準時刻データを復調する。時刻データ修正部２Ａ、２Ｂは、受信復調部１で復調した標準時刻データに基づいて時刻データを修正し、この修正された時刻データを表示する。受信復調部１で復調された標準時刻データは、インターフォン３の信号線３４を用いて時刻データ修正部２Ａ、２Ｂへそれぞれ伝送（配信）するようになっている。【選択図】図１
2007205958.tif 000002
【特許請求の範囲】
【請求項１】
標準時刻データを含む標準電波を受信し、この受信した標準電波から標準時刻データを復調する受信復調部と、
前記受信復調部で復調した標準時刻データに基づいて時刻データを修正する時刻データ修正部と、を備え、
前記受信復調部で復調された標準時刻データの前記時刻データ修正部への伝送を、インターフォンの信号線を用いて行うようにしたことを特徴とする時刻データ配信装置。
【請求項２】
前記時刻データ修正部は複数個からなり、
その各時刻データ修正部は、修正された時刻データを表示する表示部をそれぞれ含むことを特徴とする請求項１に記載の時刻データ配信装置。
【請求項３】
前記受信復調部は前記インターフォンの玄関子機の近傍の室外に設置し、前記時刻データ修正部は前記インターフォンの室内親機または室内子機が設置される室内に設置するようにしたことを特徴とする請求項１または請求項２に記載の時刻データ配信装置。
【請求項４】
標準時刻データを含む標準電波を受信し、この受信した標準電波から標準時刻データを復調し、この復調した標準時刻データをこれに対応する所定の音声信号に変換する受信復調部と、
前記受信復調部で変換された音声信号を受け取り、この受け取った音声信号から元の標準時刻データに変換し、この変換された標準時刻データに基づいて時刻データを修正する時刻データ修正部と、を備え、
前記受信復調部で変換された音声信号は、インターフォンで中継して前記時刻データ修正部に供給するようにしたことを特徴とする時刻データ配信装置。
【請求項５】
前記時刻データ修正部は複数個からなり、
その各時刻データ修正部は、修正された時刻データを表示する表示部をそれぞれ含むことを特徴とする請求項４に記載の時刻データ配信装置。
【請求項６】
前記受信復調部は前記インターフォンの玄関子機の近傍の室外に設置し、前記時刻データ修正部は前記インターフォンの室内親機または室内子機の設置される室内に設置するようにしたことを特徴とする請求項４または請求項５に記載の時刻データ配信装置。
【発明の詳細な説明】
【技術分野】
【０００１】
本発明は、標準電波を受信して得られる標準時刻データを、既存のインフラを使用して配信するようにした時刻データ配信装置に関するものである。
【背景技術】
【０００２】
従来、この種の時刻データ配信装置として、例えば特許文献１、特許文献２、および特許文献３に記載の装置やシステムが知られている。
まず、特許文献１に記載の装置は、自動時刻設定装置と、外部機器とからなる。自動時刻設定装置は、受信部で時刻情報を受信し、時刻信号検出部で現在時刻を検出すると、内部時計修正信号発生部は時刻情報を内部時計に送り、内部時計を自動的に修正するようになっている。
【０００３】
この自動時刻設定装置は、時刻設定を望む外部機器の時刻を設定したいときは、時刻信号送信部から時刻情報を無線で送信すると、その外部機器の時刻信号受信部がその時刻情報を受信する。この結果、外部機器の内部時計にその時刻情報が自動的に設定される。
また、特許文献２に記載のシステムは、親機と子機を含む計時システムにおいて、親機と子機に内蔵される計時手段および時刻情報修正手段を不要としたものである。このシステムでは、親機から子機への時刻情報の伝達は、電波、赤外線、超音波などを媒介にして行うようになっている。
【０００４】
さらに、特許文献３に記載のシステムは、時刻情報調整手段や第２の計時手段からなり、第２の計時手段は、その時刻情報調整手段からの標準時刻を受信し、この受信した標準時刻に基づいて自己の計時情報を修正するようになっている。時刻情報調整手段から第２の計時手段に対する標準時刻の伝達は、無線、光、音、振動などにより行うようになっている。
【特許文献１】特開平８−１４６１６２号公報
【特許文献２】特開２００２−１３１４５５号公報
【特許文献３】特開平１０−３１１８８６号公報
【発明の開示】
【発明が解決しようとする課題】
【０００５】
ところで、上記のような従来の装置やシステムにおいて、親機側では標準時刻を取得するために電波時計などを使用する必要がある。しかし、屋内で使用する場合、特に奥まった部屋などで使用する場合には、電波時計などを使用できない場合が考えられる。
その一方、電波時計などを使用できたとしても、従来の装置やシステムでは、電波時計などで受信して得た標準時刻を伝達するのに、電波、赤外線、超音波などを使用するので、その標準時刻を伝達するための手段を構築する費用が嵩むという不具合がある。
【０００６】
そこで、本発明の目的は、上記の点に鑑み、標準時刻をいつでも確実に受信できるようにし、これを電波時計などが使用できない室内などに確実に配信できるようにした時刻データ配信装置を提供することにある。
【課題を解決するための手段】
【０００７】
上記の課題を解決し本発明の目的を達成するために、各発明は、以下のような構成からなる。
すなわち、第１の発明は、標準時刻データを含む標準電波を受信し、この受信した標準電波から標準時刻データを復調する受信復調部と、前記受信復調部で復調した標準時刻データに基づいて時刻データを修正する時刻データ修正部と、を備え、前記受信復調部で復調された標準時刻データの前記時刻データ修正部への伝送を、インターフォンの信号線を用いて行うようにした。
【０００８】
第２の発明は、第１の発明において、前記時刻データ修正部は複数個からなり、その各時刻データ修正部は、修正された時刻データを表示する表示部をそれぞれ含んでいる。
第３の発明は、第１または第２の発明において、前記受信復調部は前記インターフォンの玄関子機の近傍の室外に設置し、前記時刻データ修正部は前記インターフォンの室内親機または室内子機が設置される室内に設置するようにした。
【０００９】
第４の発明は、標準時刻データを含む標準電波を受信し、この受信した標準電波から標準時刻データを復調し、この復調した標準時刻データをこれに対応する所定の音声信号に変換する受信復調部と、前記受信復調部で変換された音声信号を受け取り、この受け取った音声信号から元の標準時刻データに変換し、この変換された標準時刻データに基づいて時刻データを修正する時刻データ修正部と、を備え、前記受信復調部で変換された音声信号は、インターフォンで中継して前記時刻データ修正部に供給するようにした。
【００１０】
第５の発明は、第４の発明において、前記時刻データ修正部は複数個からなり、その各時刻データ修正部は、修正された時刻データを表示する表示部をそれぞれ含んでいる。
第６の発明は、第４または第５の発明において、前記受信復調部は前記インターフォンの玄関子機の近傍の室外に設置し、前記時刻データ修正部は前記インターフォンの室内親機または室内子機の設置される室内に設置するようにした。
【００１１】
このような構成からなる本発明によれば、標準時刻をいつでも確実に受信し、これを電波時計などが使用できない室内などに確実に配信できる。
また、本発明によれば、既存のインフラを活用できるので、製作費用や構築費用を低減化できる。
【発明を実施するための最良の形態】
【００１２】
以下、本発明の実施形態について、図面を参照して説明する。
（第１実施形態）
本発明の時刻データ配信装置の第１実施形態の構成について説明する。
この第１実施形態に係る時刻データ配信装置は、図１に示すように、１つの受信復調部１と、複数の時刻データ修正部２Ａ、２Ｂと、インターフォン３とを備えている。
【００１３】
受信復調部１は、標準時刻データを含む標準電波を受信し、この受信した標準電波から標準時刻データを復調するようになっている。時刻データ修正部２Ａ、２Ｂは、受信復調部１で復調した標準時刻データに基づいて時刻データを修正し、この修正された時刻データを表示できるようになっている。
そして、この第１実施形態は、共通の受信復調部１で復調された標準時刻データを複数の時刻データ修正部２Ａ、２Ｂへそれぞれ伝送（配信）するが、その伝送をインターフォン３の信号線を用いて行うようにしたことを特徴としている。
【００１４】
換言すると、この第１実施形態は、受信復調部１と時刻データ修正部２Ａ、２Ｂとの間にインターフォン３を介在させ、受信復調部１を共通にして２つの電波時計を形成するようにしたものである。
【００１５】
次に、この第１実施形態の具体的な構成について、図１を参照して説明する。
受信復調部１は、図１に示すように、アンテナを含む受信回路１１と、復調回路１２とを備えている。そして、この受信復調部１は、標準時刻データを含む標準電波をいつでも確実に受信できるように室外に設置され、例えばインターフォン３の玄関子機３２が設置される玄関近傍の屋外に設置されるのが好ましい。
【００１６】
受信回路１１は、送信されてくる標準時刻データ（タイムコード）を含む標準電波を受信し、これに対応する電気信号を復調回路１２に出力するようになっている。復調回路１２は、受信回路１１の出力信号中から標準時刻データを抽出（解読）して出力するようになっている。
インターフォン３は、図１に示すように、室内親機３１、玄関子機３２、および室内子機３３からなり、これらは信号線３４で接続されて、ボタン操作により音声通話ができるようになっている。
【００１７】
玄関子機３２は、復調回路１２からの標準時刻データを受け取るデータ入力端子３５を備えている。また、玄関子機３２は、復調回路１２からの標準時刻データをデータ入力端子３５で受け取り、この受け取った標準時刻データを信号線３４を伝送媒体にして室内親機３２および室内子機３３にそれぞれ伝送するようになっている。
ここで、玄関子機３２は、インターフォン３の使用中には、その標準時刻データの伝送を行わないようになっている。
【００１８】
室内親機３１と室内子機３３は、データ出力端子３６、３７を備えている。室内親機３１は、玄関子機３２から信号線３４によって標準時刻データが伝送されてくると、それを受け取ってデータ出力端子３６に出力するようになっている。室内子機３３は、玄関子機３２から信号線３４によって標準時刻データが伝送されてくると、それを受け取ってデータ出力端子３７に出力するようになっている。
【００１９】
時刻データ修正部２Ａ、２Ｂは、図１に示すように、時刻データ修正回路２１と、表示部２２とを備えている。時刻データ修正部２Ａは、インターフォン３の室内親機３１が設置されている居間などに設置されている。また、時刻データ修正部２Ｂは、インターフォン３の室内子機３３が設置されている部屋（室内）に設置されている。
時刻データ修正部２Ａの時刻データ修正回路２１は、時刻データを生成する時計回路（図示せず）を含み、室内親機３１から出力される標準時刻データに基づき、その計時回路で生成される時刻データを修正するようになっている。
【００２０】
時刻データ修正部２Ｂの時刻データ修正回路２１は、時刻データを生成する時計回路（図示せず）を含み、室内子機３３から出力される標準時刻データに基づき、その計時回路で生成される時刻データを修正するようになっている。
時刻データ修正部２Ａ、２Ｂの各表示部２２は、各時刻データ修正回路２１で修正された時刻データをデジタル形態あるいはアナログ形態で表示するようになっている。
【００２１】
次に、このような構成からなる第１実施形態の動作例について説明する。
受信復調部１は、インターフォン３の玄関子機３２が配置される玄関近傍などの屋外に設置されるので、標準時刻データを含む標準電波をいつでも確実に受信できる。
すなわち、受信回路１１は、送信されてくる標準時刻データを含む標準電波を受信し、これに対応する電気信号を復調回路１２に出力する。復調回路１２は、その出力信号中から標準時刻データを抽出し、これをインターフォン３の玄関子機３２に出力する。
【００２２】
玄関子機３２は、その受け取った標準時刻データを信号線３４を伝送媒体にして、室内親機３１および室内子機３３にそれぞれ伝送する。室内親機３１は、その標準時刻データが伝送されてくると、それを受け取って時刻データ修正部２Ａの時刻データ修正回路２１に出力する。また、室内子機３３は、その標準時刻データが伝送されてくると、それを受け取って時刻データ修正部２Ｂの時刻データ修正回路２１に出力する。
【００２３】
時刻データ修正部２Ａの時刻データ修正回路２１は、室内親機３１から出力される標準時刻データに基づき、図示しない計時回路で生成される時刻データを修正し、この修正された時刻データは表示部２２に表示される。
一方、時刻データ修正部２Ｂの時刻データ修正回路２１は、室内子機３３から出力される標準時刻データに基づき、図示しない計時回路で生成される時刻データを修正し、この修正された時刻データは表示部２２に表示される。
【００２４】
以上のように、この第１実施形態では、室外に設置される受信復調部１で復調された標準時刻データを複数の時刻データ修正部２Ａ、２Ｂへそれぞれ伝送（配信）するが、その伝送を、インターフォン３の信号線３４を使用するようにした。このため、この第１実施形態によれば、標準時刻データをいつでも確実に受信でき、それを電波時計などが使用できない室内などに確実に配信することができ、新規な電波時計を構築できる。
【００２５】
また、この第１実施形態によれば、既存のインフラであるインターフォン３を活用できるので、製作費用や構築費用を低減化できる。
【００２６】
（第２実施形態）
本発明の時刻データ配信装置の第２実施形態の構成について説明する。
この第２実施形態に係る時刻データ配信装置は、図２に示すように、１つの受信復調部６と、複数の時刻データ修正部７Ａ、７Ｂと、インターフォン８とを備えている。
【００２７】
受信復調部６は、標準時刻データを含む標準電波を受信し、この受信した標準電波から標準時刻データを復調し、この復調した標準時刻データをこれに対応する所定の音声信号に変換するようになっている。時刻データ修正部７Ａ、７Ｂは、受信復調部６で変換された音声信号を受け取り、この受け取った音声信号から元の標準時刻データに変換し、この変換された標準時刻データに基づいて時刻データを修正し、この修正された時刻データを表示できるようになっている。
【００２８】
そして、この第２実施形態では、共通の受信復調部６で変換された音声信号は、インターフォン８で中継して複数の時刻データ修正部７Ａ、７Ｂに配信（供給）するようにしたことを特徴としている。
換言すると、この第２実施形態は、受信復調部６と時刻データ修正部７Ａ、７Ｂとの間にインターフォン８を介在させ、受信復調部６を共通にして２つの電波時計を形成するようにしたものである。
【００２９】
次に、この第２実施形態の具体的な構成について、図２を参照して説明する。
受信復調部６は、図２に示すように、アンテナを含む受信回路６１と、復調回路６２と、データ／音声変換回路６３とを備えている。そして、この受信復調部６は、標準時刻データを含む標準電波をいつでも確実に受信できるように室外に設置され、例えばインターフォン８の玄関子機８２が設置される玄関近傍の屋外に設置されるのが好ましい。
【００３０】
受信回路６１は、送信されてくる標準時刻データ（タイムコード）を含む標準電波を受信し、これに対応する電気信号を復調回路６２に出力するようになっている。復調回路６２は、受信回路６１の出力信号中から標準時刻データを抽出（解読）して出力するようになっている。データ／音声変換回路６３は、復調回路６２からの標準時刻データをこれに対応する所定の音声信号に変換して出力するようになっている。
【００３１】
インターフォン８は、図２に示すように、室内親機８１、玄関子機８２、および室内子機８３からなり、これらは信号線８４で接続されて、ボタン操作により音声通話ができるようになっている。
玄関子機８２は、データ／音声変換回路６３からの音声信号を受け取る音声信号入力端子８５を備えている。また、玄関子機８２は、データ／音声変換回路６３からの音声信号を音声信号入力端子８５で受け取ると、通話時と同様に、その受け取った音声信号を信号線８４を伝送媒体にして、室内親機８１および室内子機８３にそれぞれ伝送するようになっている。
【００３２】
ここで、玄関子機８２は、インターフォン８の通話時には通話を優先し、受信復調部６からの音声信号の伝送を行わないようになっている。
室内親機８１と室内子機８３は、音声信号出力端子８６、８７を備えている。室内親機８１は、玄関子機８２から信号線８４によって音声信号が伝送されてくると、それを受け取って音声信号出力端子８６に出力するようになっている。室内子機８３は、玄関子機８２から信号線８４によって音声信号が伝送されてくると、それを受け取って音声信号出力端子８７に出力するようになっている。
【００３３】
時刻データ修正部７Ａ、７Ｂは、図２に示すように、音声／データ変換回路７１と、時刻データ修正回路７２と、表示部７３とを備えている。
時刻データ修正部７Ａは、インターフォン８の室内親機８１が設置されている居間などに設置されている。また、時刻データ修正部７Ｂは、インターフォン８の室内子機８３が設置されている部屋（室内）に設置されている。
【００３４】
時刻データ修正部７Ａの音声／データ変換回路７１は、室内親機８１から出力される音声信号を元の標準時刻データに変換して出力するようになっている。時刻データ修正部７Ｂの音声／データ変換回路７１は、室内子機８３から出力される音声信号を元の標準時刻データに変換して出力するようになっている。
【００３５】
時刻データ修正部７Ａ、７Ｂの時刻データ修正回路７２は、それぞれ時刻データを生成する時計回路（図示せず）を含み、対応する音声／データ変換回路７１から出力される標準時刻データに基づき、その計時回路で生成される時刻データを修正するようになっている。
時刻データ修正部７Ａ、７Ｂの表示部７３は、対応する時刻データ修正回路７２で修正された時刻データをデジタル形態あるいはアナログ形態で表示するようになっている。
【００３６】
次に、このような構成からなる第２実施形態の動作例について説明する。
受信復調部６は、インターフォン８の玄関子機８２が設置される玄関近傍などの屋外に設置されるので、標準時刻データを含む標準電波をいつでも確実に受信できる。
【００３７】
すなわち、受信回路６１は、送信されてくる標準時刻データを含む標準電波を受信し、これに対応する電気信号を復調回路６２に出力する。復調回路６２は、その出力信号中から標準時刻データを抽出し、これをデータ／音声変換回路６３に出力する。データ／音声変換回路６３は、標準時刻データをインターフォン８で中継できるように、標準時刻データを対応する所定の音声信号に変換し、この変換された音声信号をインターフォン８の玄関子機８２に出力する。
【００３８】
玄関子機８２は、その音声信号を受け取ると、通話時と同様に、その受け取った音声信号を信号線８４を介して、室内親機８１および室内子機８３にそれぞれ伝送する。
室内親機８１は、その音声信号が伝送されてくると、それを受け取って音声信号出力端子８６に出力する。室内子機８３は、その音声信号が伝送されてくると、それを受け取って音声信号出力端子８７に出力する。
【００３９】
時刻データ修正部７Ａの音声／データ変換回路７１は、室内親機８１から出力される音声信号を元の標準時刻データに変換して出力する。同様に、時刻データ修正部７Ｂの音声／データ変換回路７１は、室内子機８３から出力される音声信号を元の標準時刻データに変換して出力する。
時刻データ修正部７Ａ、７Ｂの時刻データ修正回路７２は、対応する音声／データ変換回路７１から出力される標準時刻データに基づき、図示しない計時回路で生成される時刻データを修正し、この修正された時刻データは表示部７３に表示される。
【００４０】
以上のように、この第２実施形態では、室外に設置される受信復調部６で復調された標準時刻データを変換した音声信号をインターフォン８で中継し、複数の時刻データ修正部７Ａ、７Ｂへそれぞれ配信（供給）するようにした。このため、この第２実施形態によれば、標準時刻データをいつでも確実に受信でき、これを電波時計などが使用できない室内などに確実に配信することができ、新規な電波時計を構築できる。
【００４１】
また、この第２実施形態によれば、既存のインフラであるインターフォン８を活用できるので、製作費用や構築費用を低減化できる。
【００４２】
（その他の実施形態）
上記の実施形態では、受信復調部で標準電波から標準時刻データを得るようにし、その標準時刻データをインターフォンで時刻データ修正部に配信するようにした。
しかし、ＧＰＳ受信機で標準時刻を受信し、この受信した標準時刻をインターフォンで配信するようにしても良い。
【図面の簡単な説明】
【００４３】
【図１】本発明の第１実施形態の構成を示すブロック図である。
【図２】本発明の第２実施形態の構成を示すブロック図である。
【符号の説明】
【００４４】
１、６・・・受信復調部、２Ａ、２Ｂ、７Ａ、７Ｂ・・・時刻データ修正部、３、８・・・インターフォン、１１、６１・・・受信回路、１２、６２・・・復調回路、２１、７２・・・時刻データ修正回路、２２、７３・・・表示部、３１、８１・・・室内親機、３２、８２・・・玄関子機、３３、８３・・・室内子機、３４、８４・・・信号線、６３・・・データ／音声変換回路、７１・・・音声／データ変換回路。
【図１】
2007205958.tif 000003
【図２】
2007205958.tif 000004